(57)【要約】【課題】太陽光等の光の入射光量を変化させることができる遮光装置、及び、それを備える動植物育成用建造物を提供する。【解決手段】遮光装置１０は、動植物育成用の建造物１の窓４に配置され、窓４の室内側に貼付され、光を透過する第１光透過部２０ｂと、光を遮蔽する第１光遮蔽部２０ａとを有するシート状の第１遮蔽部材２０と、光を透過する第２光透過部３０ｂと、光を遮蔽する第２光遮蔽部３０ａとを有するシート状の第２遮蔽部材３０と、第２遮蔽部材３０を第１遮蔽部材２０に対してシート面に沿った方向に移動可能に保持する保持部４０とを備え、第１遮蔽部材２０の厚み方向から見て、第１光透過部２０ｂに第２光遮蔽部３０ａが重なるように第２遮蔽部材３０を移動させた場合に、第１光遮蔽部２０ａに第２光透過部３０ｂが重なることを特徴とする。【選択図】図１
2017018038.tif 000002
【特許請求の範囲】
【請求項１】
動植物育成用の建造物の窓に配置される遮光装置であって、
前記窓の室内側に貼付され、光を透過する第１光透過部と、光を遮蔽する第１光遮蔽部とを有するシート状の第１遮蔽部材と、
光を透過する第２光透過部と、光を遮蔽する第２光遮蔽部とを有するシート状の第２遮蔽部材と、
前記第２遮蔽部材を前記第１遮蔽部材に対してシート面に沿った方向に移動可能に保持する保持部とを備え、
前記第１遮蔽部材の厚み方向から見て、前記第１光透過部に前記第２光遮蔽部が重なるように前記第２遮蔽部材を移動させた場合に、前記第１光遮蔽部に前記第２光透過部が重なること、
を特徴とする遮光装置。
【請求項２】
請求項１に記載の遮光装置において、
前記第１光遮蔽部及び前記第２光遮蔽部は、入射した光を反射する反射機能が設けられていること、
を特徴とする遮光装置。
【請求項３】
請求項１又は請求項２に記載の遮光装置において、
前記第１光遮蔽部及び前記第１光透過部は、前記第２遮蔽部材の移動方向に交差する方向にストライプ状に交互に配置されており、
前記第２光遮蔽部及び前記第２光透過部は、前記第２遮蔽部材の移動方向に交差する方向にストライプ状に交互に配置されていること、
を特徴とする遮光装置。
【請求項４】
請求項１又は請求項２に記載の遮光装置において、
前記第１光遮蔽部及び前記第２光遮蔽部は、複数の網点状に形成されていること、
を特徴とする遮光装置。
【請求項５】
請求項１から請求項４までのいずれか１項に記載の遮光装置において、
前記保持部に移動可能に保持された前記第２遮蔽部材を移動させる駆動部と、
前記駆動部を制御する制御部と、
光の照度を検出する照度検出部とを更に備え、
前記制御部は、前記照度検出部の検出結果に基づいて、前記駆動部を制御して前記第２遮蔽部材を移動させること、
を特徴とする遮光装置。
【請求項６】
請求項１から請求項５までのいずれか１項に記載の遮光装置の前記第１遮蔽部材が窓に配置されていること、
を特徴とする動植物育成用建造物。
【発明の詳細な説明】
【技術分野】
【０００１】
本発明は、太陽光等の光の入射を制限する遮光装置、及び、それを備える動植物育成用建造物に関するものである。
【背景技術】
【０００２】
従来、太陽光等の光の入射を制限するために、様々な遮光シート等の技術が提案されている（例えば、特許文献１）。
特許文献１の遮光シートは、農業用のビニールハウスの天井部等に配置されており、ビニールハウス内に入射する光の量を制限している。しかし、このような遮光シートは、光を透過させる透過率が予め決められているため、ビニールハウス内に入射する光量を変化させるのが困難であった。
【先行技術文献】
【特許文献】
【０００３】
【特許文献１】特開２００１−０６１３５７号公報
【発明の概要】
【発明が解決しようとする課題】
【０００４】
本発明の課題は、太陽光等の光の入射光量を変化させることができる遮光装置、及び、それを備える動植物育成用建造物を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
第１の発明は、動植物育成用の建造物（１）の窓（４）に配置される遮光装置（１０）であって、前記窓の室内側に貼付され、光を透過する第１光透過部（２０ｂ）と、光を遮蔽する第１光遮蔽部（２０ａ）とを有するシート状の第１遮蔽部材（２０）と、光を透過する第２光透過部（３０ｂ）と、光を遮蔽する第２光遮蔽部（３０ａ）とを有するシート状の第２遮蔽部材（３０）と、前記第２遮蔽部材を前記第１遮蔽部材に対してシート面に沿った方向に移動可能に保持する保持部（４０）とを備え、前記第１遮蔽部材の厚み方向から見て、前記第１光透過部に前記第２光遮蔽部が重なるように前記第２遮蔽部材を移動させた場合に、前記第１光遮蔽部に前記第２光透過部が重なること、を特徴とする遮光装置である。
第２の発明は、第１の発明の遮光装置（１０）において、前記第１光遮蔽部（２０ａ）及び前記第２光遮蔽部（３０ａ）は、入射した光を反射する反射機能が設けられていること、を特徴とする遮光装置である。
第３の発明は、第１の発明又は第２の発明の遮光装置（１０）において、前記第１光遮蔽部（２０ａ）及び前記第１光透過部（２０ｂ）は、前記第２遮蔽部材（３０）の移動方向に交差する方向にストライプ状に交互に配置されており、前記第２光遮蔽部（３０ａ）及び前記第２光透過部（３０ｂ）は、前記第２遮蔽部材の移動方向に交差する方向にストライプ状に交互に配置されていること、を特徴とする遮光装置である。
第４の発明は、第１の発明又は第２の発明の遮光装置（１１０）において、前記第１光遮蔽部（１２０ａ）及び前記第２光遮蔽部（１３０ａ）は、複数の網点状に形成されていること、を特徴とする遮光装置である。
第５の発明は、第１の発明から第４の発明までのいずれかの発明の遮光装置（２１０）において、前記保持部（４０）に移動可能に保持された前記第２遮蔽部材（３０）を移動させる駆動部（５０）と、前記駆動部を制御する制御部（２６０）と、光の照度を検出する照度検出部（２６１）とを更に備え、前記制御部は、前記照度検出部の検出結果に基づいて、前記駆動部を制御して前記第２遮蔽部材を移動させること、を特徴とする遮光装置である。
第６の発明は、第１の発明から第５の発明までのいずれかの発明の遮光装置（１０）の第１遮蔽部材（２０）が窓（４）に配置されていること、を特徴とする動植物育成用建造物（１）である。
【発明の効果】
【０００６】
本発明によれば、太陽光等の光の入射光量を変化させることができる。
【図面の簡単な説明】
【０００７】
【図１】第１実施形態の遮光装置を備えた農業用栽培ハウスを示す図である。
【図２】第１実施形態の遮光装置に設けられる第１遮蔽部材及び第２遮蔽部材の詳細を説明する図である。
【図３】第１遮蔽部材と、第２遮蔽部材との配置関係を説明する図である。
【図４】第２実施形態の遮光装置を備えた農業用栽培ハウスを示す図である。
【図５】第２実施形態の遮光装置に設けられる第１遮蔽部材及び第２遮蔽部材の詳細を説明する図である。
【図６】第３実施形態の遮光装置を備えた農業用栽培ハウスを示す図である。
【図７】第１遮蔽部材及び第２遮蔽部材の別な形態を説明する図である。
【発明を実施するための形態】
【０００８】
以下、図面等を参照して、本発明の実施形態について説明する。なお、図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【０００９】
（第１実施形態）
図１は、本実施形態の遮光装置を備えた農業用栽培ハウスを示す図である。図１（ａ）は、農業用栽培ハウスの全体構成を示す図であり、図１（ｂ）は、農業用栽培ハウスに配置された遮光装置の詳細を示す図である。
図２は、本実施形態の遮光装置に設けられる第１遮蔽部材及び第２遮蔽部材の詳細を説明する図である。図２（ａ）は、第１遮蔽部材の詳細を示す図であり、図２（ｂ）は、第２遮蔽部材の詳細を示す図である。
図３は、第１遮蔽部材と、第２遮蔽部材との配置関係を説明する図である。図３（ａ）は、光を遮蔽する遮蔽状態を示す図である。図３（ｂ）及び図３（ｃ）は、光の一部を透過させる透過状態を示す図である。
なお、図１〜図３を含め以下に示す図中及び以下の説明において、理解を容易にするために、農業用栽培ハウス１の鉛直方向をＺ方向とし、水平方向のうち農業用栽培ハウス１の幅方向をＸ方向とし、奥行き方向をＹ方向とする。
【００１０】
農業用栽培ハウス（動植物育成用建造物）１は、図１（ａ）に示すように、栽培槽５に植えられた複数の植物Ｐを栽培する栽培用の建造物であり、植物Ｐの水平方向を取り囲む側壁部２と、鉛直上方を覆う天井部３とから構成されている。また、農業用栽培ハウス１の天井部３には、太陽光等の光を室内に取り込む窓４が設けられている。この窓４は、通常、光を通すために透明なガラス板が使用される。また、紫外線をガラスよりも多く通すことができるフッ素系フィルム（例えば、エフクリーン（ＡＧＣグリーンテック製））の使用も可能である。
遮光装置１０は、農業用栽培ハウス１の天井部３に設けられた窓４から入射する太陽光等の光の量を調節する装置である。本実施形態の遮光装置１０は、窓４の室内側の面の全面を覆うようにして配置されている。
遮光装置１０は、窓４の室内側（−Ｚ側）の面に貼付される第１遮蔽部材２０と、第１遮蔽部材２０よりも下側（−Ｚ側）に配置される第２遮蔽部材３０と、第２遮蔽部材３０を幅方向（Ｘ方向）に移動可能に保持する保持部４０と、第２遮蔽部材３０を駆動する駆動部５０と、駆動部５０を制御する制御部６０等から構成されている。
【００１１】
第１遮蔽部材２０は、農業用栽培ハウス１の窓４の室内側の面に貼付されるシート状の部材であり、その厚み方向（Ｚ方向）から見た外形が、窓４の外形と同等に形成されている。
第１遮蔽部材２０は、光透過性のある部材であり、図２（ａ）に示すように、その表面（＋Ｚ側の面）の一部に光を遮蔽する第１光遮蔽部２０ａが形成されており、その表面上の第１光遮蔽部２０ａが形成されていない部分が光を透過する第１光透過部２０ｂとなる。本実施形態の第１光遮蔽部２０ａ及び第１光透過部２０ｂは、それぞれが奥行き方向（Ｙ方向）に延在する複数の帯状形状に形成され、第２遮蔽部材３０の移動方向に交差する方向（Ｘ方向）にストライプ状に交互に配置されており、それぞれの配列方向（Ｘ方向）の幅が同じ寸法ｔに形成されている。
【００１２】
第２遮蔽部材３０は、第１遮蔽部材２０の下側に配置されるシート状の部材であり、その厚み方向（Ｚ方向）から見た外形における奥行き方向（Ｙ方向）の寸法は、窓４と同等に形成されているが、幅方向（Ｘ方向）の寸法が、窓４よりも長い寸法に形成されている。また、第２遮蔽部材３０は、保持部４０によりシート面に沿った方向（幅方向、Ｘ方向）に移動可能に保持されている。
第２遮蔽部材３０は、光透過性のある部材であり、図２（ｂ）に示すように、その表面（＋Ｚ側の面）の一部に光を遮蔽する第２光遮蔽部３０ａが形成されており、その表面上の第２光遮蔽部３０ａが形成されていない部分が光を透過する第２光透過部３０ｂとなる。本実施形態の第２光遮蔽部３０ａ及び第２光透過部３０ｂは、それぞれが奥行き方向（Ｙ方向）に延在する複数の帯状形状に形成され、第２遮蔽部材３０の移動方向に交差する方向（Ｘ方向）にストライプ状に交互に配置されている。第２光遮蔽部３０ａ及び第２光透過部３０ｂは、その配列方向（Ｘ方向）の幅が同じ寸法に形成されており、また、第１光遮蔽部２０ａ及び第１光透過部２０ｂの幅ｔと同一寸法に形成されている。
また、第２遮蔽部材３０は、図１（ｂ）に示すように、その＋Ｘ側の端部に、駆動部５０の歯車５２（後述する）にかみ合う歯が幅方向（Ｘ方向）に複数配列されたラック部３３が設けられている。なお、図２（ｂ）においてラック部３３の図示は省略されている。
【００１３】
また、第１遮蔽部材２０及び第２遮蔽部材３０に設けられる第１光遮蔽部２０ａ及び第２光遮蔽部３０ａには、光を反射する反射機能が設けられている。これにより、太陽光等の光が第１光遮蔽部２０ａや第２光遮蔽部３０ａに入射した場合に、入射した光を室外側（＋Ｚ側）へと反射することができ、室内に太陽光等の熱が籠り、農業用栽培ハウス１の室内温度が上昇してしまうのを抑制することができる。第１光遮蔽部２０ａ及び第２光遮蔽部３０ａの反射機能は、上述の効果をより効率よく得る観点から、反射率が９０％以上であることが望ましい。本実施形態では、第１光遮蔽部２０ａ及び第２光遮蔽部３０ａには、反射率が９０％以上の反射機能が設けられている。
【００１４】
第１遮蔽部材２０及び第２遮蔽部材３０には、例えば、ＣＰＰ（無延伸ポリプロピレン）や、ポリカーボネート、ポリエステル系樹脂の透明基材を適用することができ、また、高耐候性を持たせるために、紫外線吸収剤を高濃度で含んでいる。第１遮蔽部材２０は、上述したように窓４に貼付して使用するため、その厚みは１２μｍ〜１００μｍが好適であり、第２遮蔽部材３０は、幅方向（Ｘ方向）に移動させるために保形性が必要であるので、その厚みは３００μｍ〜１０００μｍが好適である。
また、反射機能を有した第１光遮蔽部２０ａ及び第２光遮蔽部３０ａは、上述の各遮蔽部材を構成する透明基材上に、光反射機能を有する塗膜（例えば、白色や銀色の塗膜）をスクリーン印刷等によって形成したり、アルミニウム等の光反射特性を有する金属を蒸着等によって形成したりすることができる。
【００１５】
保持部４０は、第１遮蔽部材２０に対して第２遮蔽部材３０を幅方向（Ｘ方向）に移動可能に保持する部材である。本実施形態では、保持部４０は２つ設けられており、第２遮蔽部材３０の＋Ｘ側端部と、−Ｘ側端部とをそれぞれ保持している。
以上の構成により、遮光装置１０は、図３（ａ）に示すように、厚み方向（Ｚ方向）から見て、第１遮蔽部材２０に設けられた各第１光遮蔽部２０ａに、第２遮蔽部材３０に設けられた各第２光透過部３０ｂが重なるようにして、第２遮蔽部材３０を幅方向（Ｘ方向）に移動させた場合、各第１光透過部２０ｂに各第２光遮蔽部３０ａが重なった状態となる。そのため、遮光装置１０は、鉛直上側（＋Ｚ側）から見て、第１光遮蔽部２０ａ及び第２光遮蔽部３０ａが交互に隙間なく配置され、鉛直上側から太陽光等の光Ｌが入射しても、第１光遮蔽部２０ａ又は第２光遮蔽部３０ａのいずれかに入射して、遮蔽される遮蔽状態となり、室内の植物Ｐ側へ光が入射するのを防ぐことができる。
【００１６】
一方、上述の状態から、第２遮蔽部材３０を幅方向（Ｘ方向）の＋Ｘ側にストライプ状の幅ｔ分だけ移動させると、遮光装置１０は、図３（ｂ）に示すように、厚み方向から見て、各第１光遮蔽部２０ａに各第２光遮蔽部３０ａが重なり、各第１光透過部２０ｂに各第２光透過部３０ｂが重なった状態となる。そのため、遮光装置１０は、鉛直上側（＋Ｚ側）から太陽光等の光Ｌが入射しても、一部が第１光遮蔽部２０ａにより遮蔽されるが、残りの光が、第１光透過部２０ｂ及び第２光透過部３０ｂを透過して室内側へと入射する透過状態となり、光を植物Ｐに入射させることができる。
【００１７】
駆動部５０は、第２遮蔽部材３０を幅方向（Ｘ方向）に移動させる部分であり、駆動モータ５１、歯車５２等から構成されている。
駆動モータ５１は、第２遮蔽部材３０を幅方向（Ｘ方向）に移動させる回転モータであり、その駆動軸５１ａに歯車５２が設けられている。
歯車５２は、駆動モータ５１の回転の周方向に沿って複数の歯が設けられた平歯車である。歯車５２は、第２遮蔽部材３０の＋Ｘ側端部に設けられたラック部３３にかみ合うことによって、いわゆるラック・アンド・ピニオン機構を構成しており、駆動モータ５１の回転運動を幅方向（Ｘ方向）への直線運動に変換している。
制御部６０は、駆動部５０の駆動モータ５１の回転を制御する制御回路であり、駆動モータ５１に接続されている。制御部６０には、不図示の操作部が設けられており、その操作部の操作に応じて駆動モータ５１の回転方向や、回転量、回転速度等を制御することができる。
【００１８】
次に、遮光装置１０の使用方法について説明する。以下の説明では、太陽が農業用栽培ハウス１の鉛直方向の直上に位置している場合を例にして説明する。
上述したように、本実施形態の遮光装置１０は、農業用栽培ハウス１の天井部３の窓４に配置されている。太陽光はこの窓４から室内側に入射するが、日差しが非常に強く、室内で栽培している植物Ｐへの影響が非常に大きい場合、駆動部５０を制御して、図３（ａ）に示すように、第２遮蔽部材を、各第２光遮蔽部３０ａが各第１光透過部２０ｂと重なる位置へ移動して遮蔽状態にする。これにより、太陽光等の光は、窓４に入射したとしても各遮蔽部材の第１光遮蔽部２０ａ及び第２光遮蔽部３０ａにより植物Ｐ側へ入射してしまうのを防ぐことができる。また、第１光遮蔽部２０ａ及び第２光遮蔽部３０ａには、反射機能が設けられているので、各光遮蔽部に入射した光を室外側へと反射させることができ、農業用栽培ハウス１の室内温度が太陽光等の熱により上昇してしまうのを抑制することができる。
【００１９】
逆に、曇りや雨等の天候により日差しが非常に弱く、室内に入射する光量を制限する必要がない場合や、日差しがある程度強く、室内に入射する太陽光等の光量をある程度制限する必要がある場合、駆動部５０を制御して、第２遮蔽部材３０を移動して遮蔽状態から光の一部を入射させる透過状態へ切り替える。
ここで、曇りや雨等の天候により日差しが非常に弱く、室内に入射する光量を制限する必要がない場合、図３（ｂ）に示すように、第２遮蔽部材３０を、遮蔽状態（図３（ａ）の状態）から幅方向（Ｘ方向）へ幅ｔ分だけ移動して、各第２光遮蔽部３０ａ、各第２光透過部３０ｂを、それぞれ各第１光遮蔽部２０ａ、各第１光透過部２０ｂに重ねる。これにより、遮光装置１０は、窓４から入射した太陽光等の光のうち、第１光透過部２０ｂ及び第２光透過部３０ｂが重なった領域に入射した光を室内側へ透過させて、植物Ｐ側へ到達させることができる。
【００２０】
また、日差しがある程度強く、室内に入射する太陽光等の光量をある程度制限する必要がある場合、図３（ｃ）に示すように、第２遮蔽部材３０を、遮蔽状態（図３（ａ）の状態）から幅方向（Ｘ方向）へ幅ｔよりも小さい距離（例えば、ｔ／２）だけ移動して、各第２光遮蔽部３０ａ、各第２光透過部３０ｂを、それぞれ各第１光遮蔽部２０ａ、各第１光透過部２０ｂの一部と重なるようにする。こうすることで、遮光装置１０を透過する光は、第１光透過部２０ｂのうち第２光透過部３０ｂと重なる領域においてのみ透過することができ、光の透過する領域を、上述の図３（ｂ）の状態に比して狭くすることができる。これにより、遮光装置１０は、窓４から入射した太陽光等の光を制限して、植物Ｐ側へ入射させることができる。
【００２１】
以上より、本実施形態の遮光装置１０は、第１遮蔽部材２０の厚み方向（Ｚ方向）から見て、第１光透過部２０ｂに第２光遮蔽部３０ａが重なるように第２遮蔽部材３０を移動させた場合に、第１光遮蔽部２０ａに第２光透過部３０ｂが重なる。これにより、遮光装置１０は、第２遮蔽部材３０を第１遮蔽部材２０に対して移動することによって、太陽光等の光の入射を遮蔽したり、室内側に入射する光量を、日差しの強さに応じて、適宜増減させたりすることができる。そのため、上述のように、遮光装置１０を農業用栽培ハウス１の窓４に適用した場合、日差しの強さに応じて、室内の植物Ｐに入射する太陽光等の光を遮断したり、光量を調節して入射させたりすることができ、より効率よく植物Ｐを栽培することができる。
【００２２】
また、本実施形態の遮光装置１０は、各遮蔽部材に設けられた光透過部及び光遮蔽部が、第２遮蔽部材の移動方向に交差する方向（Ｘ方向）にストライプ状に交互に配置されている。これにより、遮光装置１０は、光を遮蔽する状態と光を透過する状態との切り替えを、第２遮蔽部材３０をストライプの幅ｔ以下の移動範囲で効率よく行うことができる。
更に、本実施形態の遮光装置１０は、第１光遮蔽部２０ａ及び第２光遮蔽部３０ａに、光を反射する反射機能が設けられているので、第１光遮蔽部２０ａ及び第２光遮蔽部３０ａに入射した光を吸収することなく反射することができる。これにより、上述のように、遮光装置１０を農業用栽培ハウス１の窓４に適用した場合、遮光装置１０に入射した太陽光等の光の熱が農業用栽培ハウス１の室内に籠ってしまうのを抑制することができ、植物Ｐの栽培環境を良好に保つことができる。
【００２３】
（第２実施形態）
次に、本発明の第２実施形態について説明する。
図４は、本実施形態の遮光装置を備えた農業用栽培ハウスを示す図である。図４（ａ）は、遮光装置を備えた農業用栽培ハウスの全体構成を示す図である。図４（ｂ）は、厚み方向から見た第１遮蔽部材を示す図であり、図４（ｃ）は、厚み方向から見た第２遮蔽部材を示す図である。なお、本実施形態の第２遮蔽部材は、図４（ａ）に示すように、その一部がロール体に巻き取られているが、図４（ｃ）では、ロール体から外された状態の第２遮蔽部材を示している。
図５は、本実施形態の第１遮蔽部材及び第２遮蔽部材の詳細を示す図である。図５（ａ）は、図４（ｂ）に示す第１遮蔽部材のａ部詳細図であり、図５（ｂ）は、図４（ｃ）に示す第２遮蔽部材のｂ部詳細図である。図５（ｃ）は、図５（ａ）及び図５（ｂ）に示す第１遮蔽部材及び第２遮蔽部材を重ねた図である。
なお、以下の説明及び図面において、前述した第１実施形態と同様の機能を果たす部分には、同一の符号又は末尾（下二桁）に同一の符号を付して、重複する説明を適宜省略する。
【００２４】
本実施形態の遮光装置１１０は、第１遮蔽部材１２０と、第２遮蔽部材１３０と、保持部１４０と、駆動部１５０と、制御部１６０等から構成されている。
第１遮蔽部材１２０は、農業用栽培ハウス１の窓４の室内側の面に貼付されるシート状の部材であり、図４（ｂ）に示すように、その厚み方向（Ｚ方向）から見た外形が、窓４の外形と同等に矩形状に形成されている。
第１遮蔽部材１２０は、光透過性のある部材であり、図５（ａ）に示すように、その表面（＋Ｚ側の面）の一部に光を遮蔽する第１光遮蔽部１２０ａが形成されており、その表面上の第１光遮蔽部１２０ａが形成されていない部分が光を透過する第１光透過部１２０ｂとなる。本実施形態の第１光遮蔽部１２０ａは、複数の点が幅方向（Ｘ方向）及び奥行き方向（Ｙ方向）に等間隔に配置された網点状に配置されている。
【００２５】
第２遮蔽部材１３０は、第１遮蔽部材１２０の下側に配置される光透過性を有するシート状の部材であり、図４（ｃ）に示すように、幅方向の−Ｘ側から順に、取付け領域１３３、遮蔽領域１３１、透明領域１３２、取付け領域１３３が設けられている。
遮蔽領域１３１は、入射した光の一部を遮蔽し、その他を透過させる領域である。
透明領域１３２は、入射した光の全てを透過する透明な領域である。
遮蔽領域１３１及び透明領域１３２は、その厚み方向（Ｚ方向）から見た外形が、それぞれ窓４の外形と同等に矩形状に形成されている。
取付け領域１３３は、遮蔽領域１３１及び透明領域１３２を挟むようにして第２遮蔽部材１３０の両端部に設けられた領域であり、後述の保持部１４０のロール体１４２に固定される部分である。
【００２６】
遮蔽領域１３１は、図５（ｂ）に示すように、その表面（＋Ｚ側の面）の一部に光を遮蔽する第２光遮蔽部１３０ａが形成されており、その表面上の第２光遮蔽部１３０ａが形成されていない部分が光を透過する第２光透過部１３０ｂとなる。本実施形態の第２光遮蔽部１３０ａは、複数の点が幅方向（Ｘ方向）及び奥行き方向（Ｙ方向）に等間隔に配置された網点状に配置されている。
この第２光遮蔽部１３０ａの各点の大きさは、上述の第１光遮蔽部１２０ａの各点の大きさと同等である。また、第２光遮蔽部１３０ａのＸ方向及びＹ方向における各点の間隔ｄは、上述の第１光遮蔽部１２０ａの各点の間隔と同等である。更に、第２光遮蔽部１３０ａの各点の配置位置は、第１遮蔽部材１２０の角部αと遮蔽領域１３１の角部βとを合わせたときに、第１光遮蔽部１２０ａの各点の配置位置に対して、Ｘ方向及びＹ方向へ間隔ｄの半分（ｄ／２）だけずれた位置に配置されている。
【００２７】
そのため、第１遮蔽部材１２０の角部αと、遮蔽領域１３１の角部βとを合わせて、第１遮蔽部材１２０及び第２遮蔽部材１３０を重ねると、図５（ｃ）に示すように、第１光透過部１２０ｂに第２光遮蔽部１３０ａが重なり、第１光遮蔽部１２０ａに第２光透過部１３０ｂが重なる。この状態が、本実施形態の遮光装置１１０において、入射した光を最も多く遮蔽する遮蔽状態となる。
また、第１遮蔽部材１２０及び遮蔽領域１３１に設けられる第１光遮蔽部１２０ａ及び第２光遮蔽部１３０ａには、光を反射する反射機能が設けられている。これにより、太陽光等の光が第１光遮蔽部１２０ａや第２光遮蔽部１３０ａに入射した場合に、入射した光を室外側（＋Ｚ側）へと反射することができ、室内に太陽光等の熱が籠り、農業用栽培ハウス１０１の室内温度が上昇してしまうのを抑制することができる。
【００２８】
第１遮蔽部材１２０及び第２遮蔽部材１３０には、例えば、ＣＰＰや、ポリカーボネート、ポリエステル系樹脂の透明基材を適用することができ、また、高耐候性を持たせるために、紫外線吸収剤を高濃度で含んでいる。
また、反射機能を有した第１光遮蔽部１２０ａ及び第２光遮蔽部１３０ａは、上述の各遮蔽部材を構成する透明基材上に、光反射機能を有する塗膜（例えば、白色や銀色の塗膜）をスクリーン印刷等によって形成したり、アルミニウム等の光反射特性を有する金属を蒸着等によって形成したりすることができる。
なお、本実施形態の第１光遮蔽部２０ａ及び第２光遮蔽部３０ａは、網点状の各点が円形形状に形成される例を示すが、これに限定されるものでなく、矩形等の多角形や、楕円等の形状により形成されるようにしてもよい。
【００２９】
保持部１４０は、図４（ａ）に示すように、第１遮蔽部材１２０に対して第２遮蔽部材１３０を幅方向（Ｘ方向）に移動可能に保持する部材であり、２組のロール体支持部１４１及びロール体１４２から構成されている。
ロール体支持部１４１は、ロール体１４２を回転可能に支持する部材であり、農業用栽培ハウス１０１の天井部３の室内側の面上において、窓４を幅方向（Ｘ方向）から挟むようにして窓４の−Ｘ側端部近傍と、＋Ｘ側端部近傍とにそれぞれ設けられている。
ロール体１４２は、第２遮蔽部材１３０を巻き取る円柱形状の部材であり、その周側面に、第２遮蔽部材１３０の両端に設けられた取付け領域１３３が固定されている。
【００３０】
ここで、この２つのロール体１４２は、ロール体支持部１４１を介して窓４を挟むようにして配置されているため、図４（ａ）に示すように、第２遮蔽部材１３０は、窓４の幅の分だけロール体１４２に巻き取られることなく第１遮蔽部材１２０と対向するようにして配置され、残りの部分が＋Ｘ側又は−Ｘ側のいずれかのロール体１４２に巻き取られた状態となる。本実施形態では、遮蔽領域１３１が第１遮蔽部材１２０に対向している場合、透明領域１３２が右側（＋Ｘ側）のロール体１４２に巻き取られた状態になり、逆に、透明領域１３２が第１遮蔽部材１２０に対向している場合、遮蔽領域１３１が左側（−Ｘ側）のロール体１４２に巻き取られた状態となる。
【００３１】
駆動部１５０は、ロール体１４２を回転させて第２遮蔽部材１３０を幅方向（Ｘ方向）に移動させる部分であり、不図示の駆動モータ等から構成されている。本実施形態では、駆動モータが保持部１４０に設けられた各ロール体１４２に設けられており、各駆動モータの駆動軸が、各ロール体の回転軸に接続されている。これにより、各ロール体のいずれかを回転駆動することによって、第２遮蔽部材１３０を＋Ｘ側又は−Ｘ側に巻き取って移動させることができる。
制御部１６０は、駆動部１５０の駆動モータの回転を制御する制御回路であり、各駆動モータに接続されている。制御部１６０には、不図示の操作部が設けられており、その操作部の操作に応じて各駆動モータの回転方向や、回転量、回転速度等を制御することができる。
【００３２】
次に、遮光装置１１０の使用方法について説明する。以下の説明では、太陽が農業用栽培ハウス１０１の鉛直方向の直上に位置している場合を例にして説明する。
上述したように、本実施形態の遮光装置１１０は、農業用栽培ハウス１０１の天井部３の窓４に配置されている。太陽光はこの窓４から室内側に入射するが、日差しが非常に強く、室内で栽培している植物Ｐへの影響が非常に大きい場合、駆動部１５０を制御して、図５（ｃ）に示すように、第２遮蔽部材を、各第２光遮蔽部１３０ａが各第１光透過部１２０ｂと重なる位置へ移動し、各第２光透過部１３０ｂが各第１光遮蔽部１２０ａに重なるようにして遮蔽状態にする。具体的には、第２遮蔽部材１３０の透明領域１３２を右側（＋Ｘ側）のロール体１４２に巻き取るとともに、遮蔽領域１３１を左側（−Ｘ側）のロール体１４２から巻き出して第１遮蔽部材１２０に対向させる。
【００３３】
これにより、遮光装置１１０は、太陽光等の光が窓４から入射したとしても、各遮蔽部材の第１光遮蔽部１２０ａ及び第２光遮蔽部１３０ａにより植物Ｐ側へ入射してしまうのを大幅に抑制することができる。
また、第１光遮蔽部１２０ａ及び第２光遮蔽部１３０ａには、反射機能が設けられているので、各光遮蔽部に入射した光を室外側へと反射させることができ、農業用栽培ハウス１０１の室内温度が太陽光等の熱により上昇してしまうのを抑制することができる。
【００３４】
逆に、曇りや雨等の天候により日差しが非常に弱く、室内に入射する光量を制限する必要がない場合、駆動部１５０を制御して、第２遮蔽部材１３０の遮蔽領域１３１を巻き取るとともに、透明領域１３２を巻き出して第１遮蔽部材１２０と対向させ、入射した光を室内側へ最も多く入射させる透過状態に切り替える。この透過状態において窓４から入射する光を遮るのは、第１遮蔽部材１２０の第１光遮蔽部１２０ａのみとなるので、遮光装置１１０は、窓４から入射した太陽光等の光のうち、第１光透過部１２０ｂに入射した光を室内側へ透過させて、植物Ｐ側へ到達させることができる。
【００３５】
以上より、本実施形態の遮光装置１１０は、第２遮蔽部材１３０を第１遮蔽部材１２０に対して移動させることによって、太陽光等の光の入射を遮蔽したり、室内側に光を入射させたりすることができる。そのため、上述のように、遮光装置１１０を農業用栽培ハウス１０１の窓４に適用した場合、日差しの強さに応じて、室内の植物Ｐに入射する太陽光等の光を遮断したり、光を入射させたりすることができ、より効率よく植物Ｐを栽培することができる。
また、本実施形態の遮光装置１１０は、第１光遮蔽部１２０ａ及び第２光遮蔽部１３０ａに、光を反射する反射機能が設けられているので、第１光遮蔽部１２０ａ及び第２光遮蔽部１３０ａに入射した光を吸収することなく反射することができる。これにより、上述のように、遮光装置１１０を農業用栽培ハウス１０１の窓４に適用した場合、遮光装置１１０に入射した太陽光等の光の熱が農業用栽培ハウス１０１の室内に籠ってしまうのを抑制することができ、植物Ｐの栽培環境を良好に保つことができる。
更に、第１光遮蔽部１２０ａ及び第２光遮蔽部１３０ａが、網点状に形成されているので、透明基材上に網点をスクリーン印刷する等によって第１遮蔽部材１２０及び第２遮蔽部材１３０を容易に製造することができる。
【００３６】
（第３実施形態）
次に、本発明の第３実施形態について説明する。
図６は、第３実施形態の遮光装置を備えた農業用栽培ハウスを示す模式図である。
なお、以下の説明及び図面において、前述した第１実施形態と同様の機能を果たす部分には、同一の符号又は末尾（下二桁）に同一の符号を付して、重複する説明を適宜省略する。
本実施形態の遮光装置２１０は、制御部２６０に接続される照度検出部２６１を備える点で、上述の第１実施形態の遮光装置１０と相違する。
【００３７】
本実施形態の遮光装置２１０は、図６に示すように、第１遮蔽部材２０、第２遮蔽部材３０、保持部４０、駆動部５０、制御部２６０、照度検出部２６１等から構成されている。
照度検出部２６１は、農業用栽培ハウス２０１の室内の照度を検出するセンサであり、例えば、室内に配置される植物Ｐの近傍に配置されている。
制御部２６０は、照度検出部２６１の検出結果に基づいて、駆動部５０の駆動モータ５１を制御して、遮光装置２１０の遮蔽状態又は透過状態に変化させることができる。
【００３８】
例えば、制御部２６０は、照度検出部２６１で検出した室内の照度が、所定値Ａよりも高い場合、室内に入射する太陽光等の光量が非常に多いと判定する。そして、駆動モータ５１を制御して遮光装置２１０を遮蔽状態（図３（ａ）参照）に変化させ、室内に入射する光を遮断する。これにより、本実施形態の遮光装置２１０は、太陽光等の光の室内側への入射を遮断することができ、強い日差しが与える植物Ｐへの影響を低減することができる。
【００３９】
また、室内の照度が所定値Ｂ（ただし、Ｂ＜Ａ）よりも低い場合、制御部２６０は、室内に入射する太陽光等の光量が不足していると判定する。そして、駆動モータ５１を制御して遮光装置２１０を図３（ｂ）に示す透過状態に変化、すなわち第１光遮蔽部２０ａに第２光遮蔽部３０ａを重ね、第１光透過部２０ｂに第２光透過部３０ｂを重ねる。これにより、本実施形態の遮光装置２１０は、太陽光等の光の一部を第１光透過部２０ｂ及び第２光透過部３０ｂを透過させ室内側へ入射させることができ、可能な限り多くの光を植物Ｐへ入射させることができる。
【００４０】
更に、室内の照度が所定値Ｂよりも大きいが、所定値Ａよりも小さい場合、制御部２６０は、室内に入射する光量をある程度制限して入射させる必要があると判定する。そして、駆動モータ５１を制御して遮光装置２１０を図３（ｃ）に示す透過状態に変化、すなわち第１光透過部２０ｂに第２光透過部３０ｂの一部を重ね、また、第１光遮蔽部２０ａに第２光遮蔽部３０ａの一部を重ねる。これにより、本実施形態の遮光装置２１０は、太陽光等の光を制限にして室内側へ入射させることができ、適切な量の太陽光等の光を植物Ｐへ入射させることができる。
【００４１】
なお、所定値Ａ及び所定値Ｂ間における照度をより細分化して、その細分化した各照度に応じて、第２遮蔽部材３０の幅方向（Ｘ方向）への移動量を細かく設定するようにしてもよい。これにより、遮光装置２１０は、室内に入射する光の量をより細かく制御することができ、植物Ｐに対してより好適な量の光を入射させることができる。
また、制御部２６０は、照度検出部２６１を農業用栽培ハウス２０１の室内に複数設け、各照度検出部２６１の照度の平均値を用いて、第２遮蔽部材３０の幅方向（Ｘ方向）への移動量を制御するようにしてもよい。これにより、遮光装置２１０は、室内全体の照度に合わせて、より適切な量の太陽光等の光を植物Ｐへ入射させることができる。
【００４２】
以上より、本実施形態の遮光装置２１０は、上述の第１実施形態の遮光装置１０と同様に、太陽光等の光の入射を遮蔽したり、室内側に入射する光量を、日差しの強さに応じて、適宜増減させたりすることができ、より効率よく植物Ｐを栽培することができる。
また、本実施形態の遮光装置２１０は、照度を検出する照度検出部２６１を備えているので、照度検出部２６１の検出結果に応じて、遮光装置２１０の遮蔽状態、透過状態の切り替えを行うことができる。これにより、上述のように、遮光装置２１０を農業用栽培ハウス２０１の窓４に適用した場合、室内の照度に応じて、遮光装置２１０から透過する光の量を調節することができ、農業用栽培ハウス２０１の室内で栽培される植物Ｐに、適切な量の光を入射させることができる。
【００４３】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４４】
（変形形態）
図７は、第１遮蔽部材及び第２遮蔽部材の別な形態を説明する図である。図７（ａ）は、別な形態の第１遮蔽部材を示す図であり、図７（ｂ）は、別な形態の第２遮蔽部材を示す図である。
（１）上述の第１実施形態において、第１遮蔽部材２０及び第２遮蔽部材３０は、各光遮蔽部及び各光透過部が、第２遮蔽部材３０の移動方向に交差する方向（Ｘ方向）にストライプ状に交互に配置される例を示したが、これに限定されるものでない。
例えば、第１遮蔽部材２０及び第２遮蔽部材３０は、図７（ａ）及び図７（ｂ）に示すように、各光遮蔽部及び各光透過部が、市松模様状に形成されるようにしてもよい。このような形態としても、遮光装置１０は、第１光遮蔽部２０ａに第２光透過部３０ｂを重ねるようにして第２遮蔽部材３０を移動させることにより、第１光透過部２０ｂに第２光遮蔽部３０ａを重ねることができ、入射する光を遮蔽する遮蔽状態にすることができる。また、第１光透過部２０ｂに、第２光透過部３０ｂの少なくとも一部を重ねるようにすることによって、光を室内側へ透過させる透過状態にすることもできる。
また、各光遮蔽部を市松模様状にすることによって、透過状態において遮光装置を透過する光を、上述の第１実施形態の遮光装置１０に比して、より分散させて室内側へ入射させることができる。
なお、上述の市松模様を構成する四角形は、第１遮蔽部材２０と第２遮蔽部材３０とでそれぞれ辺の長さが等しい正方形に形成される例を示すが、これに限定されるものでなく、例えば、外形が等しい長方形に形成されるようにしてもよい。
【００４５】
（２）上述の第１実施形態及び第２実施形態において、遮光装置は、駆動部を備える例で説明したが、これに限定されるものでなく、駆動部を備えない形態としてもよい。例えば、第１実施形態の遮光装置１０において、第２遮蔽部材３０の＋Ｘ側端部にハンドルを設け、第２遮蔽部材３０を手動で幅方向（Ｘ方向）に移動させるようにしてもよい。また、第２実施形態の遮光装置１１０において、各ロール体１４２を手動で回転させるハンドルを設け、第２遮蔽部材１３０を手動で幅方向（Ｘ方向）に移動させるようにしてもよい。
【００４６】
（３）上述の各実施形態において、遮光装置は、動植物育成用建造物として農業用（植物育成用）の建造物である農業用栽培ハウス１に適用される例で説明したが、農業に限定されるものでなく、魚等の生き物（動物）の飼育等を行う動物育成用の建造物に対して適用してもよい。
例えば、遮光装置は、魚の養殖等の漁業において使用される建造物に適用してもよい。ここで、水槽内に飼育される魚（例えば、鯉）は、室内に入射する太陽光等の光が強すぎる場合、生育する水槽が浅いため魚の表面に光が当たってしまい魚の表面の発色（色合い）が黒化し低下してしまう「日焼け現象」が見られる場合がある。そのため、遮光装置は、このような場合に窓から入射する光を遮蔽したり、光の量を制限したりして、魚の発色に与える影響を低減することができる。
【００４７】
（４）上述の各実施形態において、遮光装置１０は、農業用栽培ハウス１の天井部３の窓４に配置される例を示したが、これに限定されるものでなく、側壁部２に設けられた窓等に設けられるようにしてもよい。これにより、植物Ｐに入射する太陽光等の光量をより細かく調節することができ、植物Ｐにとってより好適な環境を設けることが可能になる。
【００４８】
（５）上述の各実施形態において、遮光装置１０に設けられた第２遮蔽部材３０には、複数の微細な孔を設けるようにしてもよい。これにより、窓４及び第２遮蔽部材３０間の通気性を向上させることができ、窓４が曇ったりするのを抑制することができる。
【００４９】
（６）上述の各実施形態において、遮光装置は、第１遮蔽部材に対して１枚の第２遮蔽部材が配置される例を示したが、これに限定されるものでなく、複数枚の第２遮蔽部材が配置されるようにしてもよい。これにより、遮光装置は、入射する光の量をより細かく制限することができる。
【符号の説明】
【００５０】
１、１０１、２０１    農業用栽培ハウス
３    天井部
４    窓
１０、１１０、２１０    遮光装置
２０、１２０    第１遮蔽部材
２０ａ、１２０ａ    第１光遮蔽部
２０ｂ、１２０ｂ    第１光透過部
３０    第２遮蔽部材
３０ａ、１３０ａ    第２光遮蔽部
３０ｂ、１３０ｂ    第２光透過部
４０、１４０    保持部
５０、１５０    駆動部
５１    駆動モータ
５１ａ    駆動軸
５２    歯車
６０、１６０、２６０    制御部
１３１    遮蔽領域
１３２    透明領域
１３３    取付け領域
２６１    照度検出部
Ｐ    植物
【図１】
2017018038.tif 000003
【図２】
2017018038.tif 000004
【図３】
2017018038.tif 000005
【図４】
2017018038.tif 000006
【図５】
2017018038.tif 000007
【図６】
2017018038.tif 000008
【図７】
2017018038.tif 000009